(57)【要約】【課題】バッテリーに充電する際に、満充電に近づいても電力のロスを低減出来る太陽光発電用制御装置を提供すること。【解決手段】メイン太陽光発電パネル２１０等で発電される電力を充電する対象となる複数の第１バッテリー２２１、第２バッテリー２２２が接続可能に構成された太陽光発電用制御装置２３０であって、メイン太陽光発電パネル２１０等で発電される電力を制御しつつ出力する第１ＭＰＰＴ回路３２０と、第１ＭＰＰＴ回路３２０からの出力を充電中の第１バッテリー２２１の充電率が所定値を越えると判定した場合、所定のルールに基づいて、第２バッテリー２２２にも出力を振り分ける充放電制御回路３００と、を備えたことを特徴とする太陽光発電用制御装置２３０である。【選択図】図１
2016077086.tif 000002
【特許請求の範囲】
【請求項１】
太陽光発電装置で発電される電力を充電する対象となる複数の充電対象装置が接続可能に構成された太陽光発電用制御装置であって、
前記太陽光発電装置で発電される電力を制御しつつ出力する電力制御部と、
前記電力制御部からの前記出力を充電中の前記充電対象装置の充電率が所定値を越えると判定した場合、所定のルールに基づいて、他の前記充電対象装置にも前記出力を振り分ける制御部と、
を備えたことを特徴とする太陽光発電用制御装置。
【請求項２】
前記所定のルールとは、前記充電率が所定値を越えると判定された前記充電対象装置への充電に際しては、前記出力の中から充電ロスが生じない程度の電流量を割り当てると共に、前記他の充電対象装置への充電に際しては、残りの電流量を割り当てるものである、ことを特徴とする請求項１に記載の太陽光発電用制御装置。
【請求項３】
前記複数の充電対象装置とは別に、充電しながら負荷に対して放電が可能な蓄電装置を備え、
前記制御部は、前記複数の充電対象装置と前記蓄電装置とに前記出力を分配し、前記充電中の充電対象装置から前記負荷への放電はさせない、ことを特徴とする請求項１又は２に記載の太陽光発電用制御装置。
【請求項４】
前記制御部は、前記充電中の複数の充電対象装置から前記負荷への放電が必要になったと判定した場合、前記充電率が所定値を越えたと判定された前記充電対象装置への前記充電を中止して前記負荷への放電を開始する、ことを特徴とする請求項３に記載の太陽光発電用制御装置。
【請求項５】
前記太陽光発電装置と仕様の異なる第２太陽光発電装置で発電される電力を制御する第２電力制御部を備え、
前記電力制御部からの前記出力としての出力電圧と、前記第２電力制御部からの出力電圧とが一致している、ことを特徴とする請求項１〜４の何れか一つに記載の太陽光発電用制御装置。
【発明の詳細な説明】
【技術分野】
【０００１】
本発明は、太陽光発電用制御装置に関し、特に、太陽光発電パネルで発生した電力をバッテリーに充電等するコントローラに関するものである。
【背景技術】
【０００２】
従来、太陽光発電パネルで発生した電力をＭＰＰＴ制御方式によりバッテリーに充電する独立型太陽光発電システムが知られている（例えば、特許文献１参照）。
【０００３】
また、独立型太陽光発電においてバッテリーに充電する場合、ＰＷＭ（Pulse Width Modulation）制御方式（パルス制御方式）と、ＭＰＰＴ（Maximum Power Point Tracking）制御方式（最大電力点追従制御方式）が知られている。
【０００４】
ＰＷＭ制御方式は、太陽光発電パネルの発電量を決める電圧と電流の組み合わせにおいて、一定の電圧と電流が発生する様に制御する方式であり、安価であるが変換効率に難がある。
【０００５】
これに対して、ＭＰＰＴ制御方式は、最大の電力が取り出せる様に電圧と電流の組み合わせを常時、自動で探し求める方式であり、高価であるが変換効率は９０％以上に上げることが出来る。
【０００６】
図４は、太陽光発電パネルで発生した電力をＭＰＰＴ制御方式によりバッテリーに充電する従来の独立型太陽光発電システム１００の構成を示すブロック図である。
【０００７】
図４に示す通り、独立型太陽光発電システム１００は、太陽光発電パネル１１０と、バッテリー１２０と、太陽光発電パネル１１０と接続されて、最大電力が取り出せる様に電圧と電流の組み合わせを制御するＭＰＰＴ回路１３０と、ＭＰＰＴ回路１３０から出力をバッテリー１２０に充電すると共に、バッテリー１２０に充電された電力又はＭＰＰＴ回路１３０からの出力を、出力端子１４１に接続される負荷（図示省略）に供給する充放電制御部１４０とを備えている。
【先行技術文献】
【特許文献】
【０００８】
【特許文献１】特開２００１−６９６８８号公報
【発明の概要】
【発明が解決しようとする課題】
【０００９】
しかしながら、従来の独立型太陽光発電システム１００で発生した電力をバッテリー１２０に充電する従来の構成の場合、ＭＰＰＴ制御方式であっても、バッテリー１２０に充電していくうちに、満充電に近づくにつれて充電電流が減少し、減少した電流分の電力がロスとして発生するという問題があった（第１課題）。
【００１０】
図５は、従来の独立型太陽光発電システム１００で発電した電力をバッテリー１２０に充電する様子を模式的に示した図であり、縦軸はバッテリー１２０に供給される電流値を示し、横軸は時間を示す。尚、説明を簡単にするために、発電電力は一定であり、バッテリー１２０に供給される電流も一定であるとする。
【００１１】
図５に示す様に、バッテリー１２０の充電率が約９０％を越えた時点（図５では時刻ｔ１を表示した時点）当たりから、満充電（図５では時刻ｔ２を表示した時点）に近づくにつれてバッテリー１２０への充電電流Ｉｂｔｔが減少し、その分、使用していないロス電流が発生している。尚、Ｉｐｏｕｔは、太陽光発電パネル１１０からＭＰＰＴ回路１３０を経由して出力された出力電流を示している。また、図５において、ロス電流が発生している領域Ａｌｏｓｓに斜線を施した。
【００１２】
また、太陽光パネルを複数使用する場合で、仕様の異なるパネルを使用すると、パネル全体の発電効率が低下するという問題があった（第２課題）。
【００１３】
本発明は、上記従来の第１課題に鑑みて、バッテリーに充電する際に、満充電に近づいても電力のロスを低減出来る太陽光発電用制御装置を提供することを目的とする。
【００１４】
また、本発明は、上記従来の第２課題に鑑みて、仕様の異なるパネルを使用した場合でも、パネル全体の発電効率の低下を抑制出来る太陽光発電用制御装置を提供することを目的とする。
【課題を解決するための手段】
【００１５】
第１の本発明は、
太陽光発電装置で発電される電力を充電する対象となる複数の充電対象装置が接続可能に構成された太陽光発電用制御装置であって、
前記太陽光発電装置で発電される電力を制御しつつ出力する電力制御部と、
前記電力制御部からの前記出力を充電中の前記充電対象装置の充電率が所定値を越えると判定した場合、所定のルールに基づいて、他の前記充電対象装置にも前記出力を振り分ける制御部と、
を備えたことを特徴とする太陽光発電用制御装置である。
【００１６】
また、第２の本発明は、
前記所定のルールとは、前記充電率が所定値を越えると判定された前記充電対象装置への充電に際しては、前記出力の中から充電ロスが生じない程度の電流量を割り当てると共に、前記他の充電対象装置への充電に際しては、残りの電流量を割り当てるものである、ことを特徴とする第１の本発明の太陽光発電用制御装置である。
【００１７】
また、第３の本発明は、
前記複数の充電対象装置とは別に、充電しながら負荷に対して放電が可能な蓄電装置を備え、
前記制御部は、前記複数の充電対象装置と前記蓄電装置とに前記出力を分配し、前記充電中の充電対象装置から前記負荷への放電はさせない、ことを特徴とする第１又は第２の本発明の太陽光発電用制御装置である。
【００１８】
また、第４の本発明は、
前記制御部は、前記充電中の複数の充電対象装置から前記負荷への放電が必要になったと判定した場合、前記充電率が所定値を越えたと判定された前記充電対象装置への前記充電を中止して前記負荷への放電を開始する、ことを特徴とする第３の本発明の太陽光発電用制御装置である。
【００１９】
また、第５の本発明は、
前記太陽光発電装置と仕様の異なる第２太陽光発電装置で発電される電力を制御する第２電力制御部を備え、
前記電力制御部からの前記出力としての出力電圧と、前記第２電力制御部からの出力電圧とが一致している、ことを特徴とする第１〜第４の何れか一つの本発明の太陽光発電用制御装置である。
【発明の効果】
【００２０】
本発明によれば、バッテリーに充電する際に、満充電に近づいても電力のロスを低減出来る太陽光発電用制御装置を提供することが出来る。
【図面の簡単な説明】
【００２１】
【図１】本発明の一実施の形態の独立型太陽光発電システムの全体の概略構成を示すブロック図
【図２】本実施の形態の第１バッテリー〜第３バッテリーへの充電電流の振り分け方を模式的に示した模式図
【図３】本実施の形態の第１バッテリー〜第３バッテリーへの充電電流の振り分け方を模式的に示した図２とは別の模式図
【図４】太陽光発電パネルで発生した電力をＭＰＰＴ制御方式によりバッテリーに充電する従来の独立型太陽光発電システムの構成を示すブロック図
【図５】従来の独立型太陽光発電システムで発電した電力をバッテリーに充電する様子を模式的に示した図
【発明を実施するための形態】
【００２２】
以下に、本発明の太陽光発電用制御装置の一実施の形態である独立型太陽光発電システムについて、図面を用いて説明する。
【００２３】
まず、本実施の形態の独立型太陽光発電システム２００の概要について、図１を用いて説明する。
【００２４】
図１は、本実施の形態の独立型太陽光発電システム２００の全体の概略構成を示すブロック図である。
【００２５】
本実施の形態の独立型太陽光発電システム２００は、メイン太陽光発電パネル２１０と、メイン太陽光発電パネル２１０と仕様の異なるサブ太陽光発電パネル２１１と、第１バッテリー２２１と、第２バッテリー２２２と、第３バッテリー２２３と、これら２種類の太陽光発電パネルと３つのバッテリーとの間に設けられた太陽光発電用制御装置２３０とを備えている。
【００２６】
また、太陽光発電用制御装置２３０は、メイン太陽光発電パネル２１０から最大電力が取り出せる様に電圧と電流の組み合わせを制御する第１ＭＰＰＴ回路３２０と、サブ太陽光発電パネル２１１から最大電力が取り出せる様に電圧と電流の組み合わせを制御する第２ＭＰＰＴ回路３３０と、サブ太陽光発電パネル２１１からの電力を第２ＭＰＰＴ回路３３０に入力する場合は、端子Ｂに切り替えられる切替スイッチ３４０と、第１ＭＰＰＴ回路３２０からの出力電流と第２ＭＰＰＴ回路３３０からの出力電流を入力し合算すると共に、各種センサーからの検知結果に基づいて、負荷（図示省略）側への電流供給と各バッテリーへの充放電を制御する充放電制御回路３００と、とを有している。
【００２７】
尚、切替スイッチ３４０は、例えば、メイン太陽光発電パネル２１０の枚数が多いために発電量が増加し大量の電流が流れる場合は、その電流の一部を第２ＭＰＰＴ回路３３０に分流するために、端子Ａ側に切り替え可能に構成されている。
【００２８】
また、充放電制御回路３００は、第１ＭＰＰＴ回路３２０からの出力電流を入力する第１入力端子３０１と、第２ＭＰＰＴ回路３３０からの出力電流を入力する第２入力端子３０２と、メイン太陽光発電パネル２１０からの出力電流値・電圧値を常時検知するメインパネル出力電流・電圧センサー２４１からの検知結果を入力するメインパネル出力電流・電圧センサー検知結果入力端子３０３と、サブ太陽光発電パネル２１１からの出力電流値・電圧値を常時検知するサブパネル出力電流・電圧センサー２４２からの検知結果を入力するサブパネル出力電流・電圧センサー検知結果入力端子３０４と、負荷（図示省略）側へ供給する電流値・電圧値を常時検知する供給電流・電圧センサー２４３からの検知結果を入力する供給電流・電圧センサー検知結果入力端子３０５と、第１バッテリー２２１の充電電流値・電圧値を常時検知する第１充電電流・電圧センサー２４４からの検知結果を入力する第１充電電流・電圧センサー検知結果入力端子３０６と、第２バッテリー２２２の充電電流値・電圧値を常時検知する第２充電電流・電圧センサー２４５からの検知結果を入力する第２充電電流・電圧センサー検知結果入力端子３０７と、第３バッテリー２２３の充電電流値・電圧値を常時検知する第３充電電流・電圧センサー２４６からの検知結果を入力する第３充電電流・電圧センサー検知結果入力端子３０８と、第１バッテリー２２１を接続するための第１バッテリー接続端子３０９と、第２バッテリー２２２を接続するための第２バッテリー接続端子３１０と、第３バッテリー２２３を接続するための第３バッテリー接続端子３１１と、負荷（図示省略）に電力を供給する為の負荷側出力端子３１２と、を有している。
【００２９】
本実施の形態では、第１バッテリー２２１と、第２バッテリー２２２は、充電中は負荷（図示省略）への放電は行わず、また、負荷への放電中は、充電は行わないものとする。また、第３バッテリー２２３は、充電しながら負荷への放電を行うことを前提として構成されており、その様な使用をしても充電性能が低下しにくい構成である。
【００３０】
また、第１バッテリー２２１と、第２バッテリー２２２は、同一のバッテリー容量であるが、第３バッテリー２２３のバッテリー容量は、前者のものより小さく例えば半分程度の容量に設定されているものとする。
【００３１】
本実施の形態の第１ＭＰＰＴ回路３２０及び第２ＭＰＰＴ回路３３０には、ＤＣ−ＤＣコンバーター（図示省略）が組み込まれており、メイン太陽光発電パネル２１０とサブ太陽光発電パネル２１１の出力電圧が異なっても、出力電圧を同一にする構成であると共に、逆流防止回路（図示省略）も組み込まれている。
【００３２】
例えば、メイン太陽光発電パネル２１０の最大出力は、４５Ｖ５Ａであり、サブ太陽光発電パネル２１１の最大出力は、３０Ｖ５Ａであるとする。
【００３３】
この場合、本実施の形態の太陽光発電用制御装置２３０によれば、第１ＭＰＰＴ回路３２０及び第２ＭＰＰＴ回路３３０の出力電圧を１５Ｖに設定すると、変換効率を１００％として、第１ＭＰＰＴ回路３２０の出力電流Ｉｍｐ及び第２ＭＰＰＴ回路３３０の出力電流Ｉｓｐは、それぞれ４５×５÷１５＝１５（Ａ）、３０×５÷１５＝１０（Ａ）となり、充放電制御回路３００による合算電流Ｉｓｕｍは１５＋１０＝２５（Ａ）、合算電力は１５（Ｖ）×２５（Ａ）＝３７５（Ｗ）となる。ここで、変換効率（９０％〜９８％）を考慮すると、合算電力は概ね３３７．５（Ｗ）〜３６７．５（Ｗ）となる。
【００３４】
本実施の形態の充放電制御回路３００は、ＰＷＭ制御によりこの合算電流Ｉｓｕｍの７０〜８０％を第１バッテリー２２１と第２バッテリー２２２の充電用に分配し、残りの３０〜２０％を第３バッテリー２２３に分配する構成である。
【００３５】
ここで、上記分配の比率は、予め定められた上記範囲の中において、充放電制御回路３００が、メインパネル出力電流・電圧センサー２４１からの検知結果、サブパネル出力電流・電圧センサー２４２からの検知結果、供給電流・電圧センサー２４３からの検知結果、第１充電電流・電圧センサー２４４〜第３充電電流・電圧センサー２４６からの検知結果を常時監視して、総合的に利用して最も適切な比率になる様にその都度決定する。尚、これに限らず例えば、上記分配の比率は、予め固定しておいても良い。
【００３６】
尚、第１バッテリー２２１及び第２バッテリー２２２に充電が実行される動作については、更に図２を用いて後述する。
【００３７】
また、充放電制御回路３００は、一定以上の発電量が発電されている昼間には、第３バッテリー２２３に分配した合算電流を第３バッテリー２２３に充電しながら、同時に負荷に対して放電させることで、負荷への電力供給をおこなう構成である。
【００３８】
また、短時間の日射量の低下等により発電量が低下したときは、充放電制御回路３００は、上記分配した合算電流より少ない合算電流を第３バッテリー２２３に充電しながら、負荷に供給すべき電流・電圧が低下しない様に第３バッテリー２２３に蓄電されている電力を放電する。この場合、第３バッテリー２２３への充電量よりも放電量の方が大きくなっており、第３バッテリー２２３は、発電量が一時的に低下したときのバッファ的な機能を備えている。
【００３９】
また、第１バッテリー２２１及び第２バッテリー２２２は、主として夜間の負荷への電力供給に用いられるが、昼間でも、充放電制御回路３００が、第３バッテリー２２３の電圧・電流が一定以下に低下したと判定したときは、第１バッテリー２２１、第２バッテリー２２２の順番で負荷への電力供給に切り替える構成である。
【００４０】
尚、この場合、充放電制御回路３００が第３バッテリー２２３の電圧・電流が一定以下に低下したと判定する時点において、第１バッテリー２２１及び第２バッテリー２２２に充電が実行されているときは、第１バッテリー２２１の充電を中止して、放電に切り替えると共に、第２バッテリー２２２への充電を加速しつつ、第３バッテリー２２３への充電を開始する構成である。
【００４１】
本実施の形態では、上記構成において、負荷に対して常時適切に電力を供給出来る様に、メイン太陽光発電パネル２１０とサブ太陽光発電パネル２１１の発電量が設定されており、且つ、第１バッテリー２２１、第２バッテリー２２２、第３バッテリー２２３のバッテリー容量が選定されているものとする。
【００４２】
尚、本実施の形態のメイン太陽光発電パネル２１０は、本発明の太陽光発電装置の一例であり、サブ太陽光発電パネル２１１は、本発明の第２太陽光発電装置の一例である。
【００４３】
また、本実施の形態の第１ＭＰＰＴ回路３２０は、本発明の電力制御部の一例であり、第２ＭＰＰＴ回路３３０は、本発明の第２電力制御部の一例である。
【００４４】
また、本実施の形態の充放電制御回路３００は、本発明の制御部の一例にあたる。
【００４５】
また、本実施の形態の第１バッテリー２２１と第２バッテリー２２２は、本発明の複数の充電対象装置の一例にあたり、本実施の形態の第３バッテリー２２３は、本発明の蓄電装置の一例にあたる。
【００４６】
以上の構成のもとで、次に本実施の形態の独立型太陽光発電システム２００の動作について、第１の場合と第２の場合に分けして、図１、図２、図３を用いて説明する。
【００４７】
図２は、第１バッテリー２２１〜第３バッテリー２２３への充電電流の振り分け方を模式的に示した模式図であり、縦軸は合算電流Ｉｓｕｍ（＝Ｉｍｐ＋Ｉｓｐ）の値を１としたときの第１バッテリー２２１〜第３２２３へ振り分けられる電流値を比率で示し、横軸は時間を示す。
【００４８】
ここでは、例えば、充放電制御回路３００による合算電流Ｉｓｕｍ（Ａ）の８０％が第１バッテリー２２１と第２バッテリー２２２の充電用に分配され、残りの２０％を第３バッテリー２２３に分配する場合、即ち、分配の比率を固定した場合について説明する。
【００４９】
１．第１の場合：
ここでは、第１バッテリー２２１と第２バッテリー２２２については充電が行われ、第３バッテリー２２３については充電しながら放電することで負荷への電力供給が行われる場合について説明する。
【００５０】
図２に示す通り、第１バッテリー２２１については、時刻Ｔ１の前から充電が継続しており、その充電用に分配されている電流は時刻Ｔ１までは０．８×Ｉｓｕｍ（Ａ）である。
【００５１】
また、第３バッテリー２２３については、０．２×Ｉｓｕｍ（Ａ）の電流が分配されており、その状況を図２では斜線領域αとして示した。即ち、第３バッテリー２２３については、斜線領域αにおいて常時、充電と放電が同時進行している。
【００５２】
この状況において、第１充電電流・電圧センサー２４４の検知結果を監視していた充放電制御回路３００が、時刻Ｔ１の時点において、第１バッテリー２２１の充電率が９０％を越えたことを検知し満充電に近づいたと判定すると、図５で説明したロス電流（又はロス電力）が発生しない様に、第１バッテリー２２１に割り当てるべき電流Ｉｂ１の値を、時間的にどの様に変化させつつ低減させるかを、回路構成及びＣＰＵのメモリ部（図示省略）に予め格納された所定の演算プログラムを用いて逐一計算する。
【００５３】
この計算に際しては、天候等により時々刻々と変化する合算電流Ｉｓｕｍや、第１バッテリー２２１に充電している電力や、負荷で使用されている電力等を、メインパネル出力電流・電圧センサー２４１（図１参照）、サブパネル出力電流・電圧センサー２４２、第１充電電流・電圧センサー２４４、及び供給電流・電圧センサー２４３からの検知結果等を利用して演算する。
【００５４】
例えば、発電量が減少して合算電流Ｉｓｕｍが減少した場合は、上記演算プログラムは、その電流の減少分を第２バッテリー２２２に割り当てる電流Ｉｂ２から差し引くことで吸収することとしている。これにより、第１バッテリー２２１に割り当てる電流を常に最適に維持できて、優先的に満充電にすることが出来る。
【００５５】
そして、時刻Ｔ１以降は、第１バッテリー２２１に割り当てられた電流Ｉｂ１の値を０．８×Ｉｓｕｍ（Ａ）から差し引いた残りの電流Ｉｂ２（＝０．８×Ｉｓｕｍ−Ｉｂ１）の値が第２バッテリー２２２に割り当てられる。
【００５６】
時刻Ｔ２において、第１バッテリー２２１に割り当てられた電流Ｉｂ１の値と、第２バッテリー２２２に割り当てられ電流Ｉｂ２の値が一致し、その後、時刻Ｔ３において、第１バッテリー２２１が満充電となり充電が完了する（Ｉｂ１＝０）。そして、充放電制御回路３００は、第２バッテリー２２２には０．８×Ｉｓｕｍの電流値を割り当てて、第２充電電流・電圧センサー２４５からの検知結果により第２バッテリー２２２が満充電に近づいたと判定するまで、０．８×Ｉｓｕｍの電流値を継続して割り当てる。
【００５７】
これにより、第１バッテリー２２１に充電する際に、満充電に近づくと、第１バッテリー２２１へ割り当てる充電電流を徐々に減らすと同時に、第２バッテリー２２２へ割り当てる充電電流を徐々に増加させるので、電力のロスを抑制出来て、太陽光発電パネルの最大出力を１００％使用出来る。
【００５８】
即ち、電力のロスを極力低減出来て合算電力を最大限に利用することが出来る。
【００５９】
また、互いに仕様の異なる、メイン太陽光発電パネル２１０とサブ太陽光発電パネル２１１を同時に使用しても、第１ＭＰＰＴ回路３２０と第２ＭＰＰＴ回路３３０を個別に接続しているので、２種類の太陽光発電パネルの発電能力をそれぞれ最大限に引き出すことが可能となる。
【００６０】
また、第３バッテリー２２３は、充電しながら放電することを前提とした構成であるので、充電中にその電力を使用してもバッテリーの充電能力が低下することは無い。
【００６１】
２．第２の場合：
ここでは、上記第１の場合において、第３バッテリー２２３の電圧が一定以下に下がった場合について説明する。
【００６２】
図３は、第１バッテリー２２１〜第３バッテリー２２３への充電電流の振り分け方を模式的に示した、図２とは別の模式図であり、縦軸は合算電流Ｉｓｕｍ（＝Ｉｍｐ＋Ｉｓｐ）の値を１としたときの第１バッテリー２２１〜第３２２３へ振り分けられる電流値を比率で示し、横軸は時間を示す。
【００６３】
尚、充放電制御回路３００による合算電流Ｉｓｕｍ（Ａ）の分配の比率は、上述した第１の場合と同様に、８０％が第１バッテリー２２１と第２バッテリー２２２の充電用に分配され、残りの２０％を第３バッテリー２２３に分配する場合、即ち、分配の比率を固定した場合について説明する。
【００６４】
充放電制御回路３００が、時刻Ｔ１の時点において（図３参照）、第１バッテリー２２１の充電率が９０％を越えたことを検知し満充電に近づいたと判定すると、第１バッテリー２２１に割り当てるべき電流Ｉｂ１と、第２バッテリー２２２に割り当てるべき電流Ｉｂ２（＝Ｉｓｕｍ−Ｉｂ１）を、上記第１の場合で説明した通り、所定の演算プログラム等を用いて逐一計算して決定する。
【００６５】
尚、第３バッテリー２２３については、０．２×Ｉｓｕｍ（Ａ）の電流が分配されており（図３参照）、斜線領域αにおいて常時、充電と放電が同時進行していることは、上記第１の場合と同じである。
【００６６】
そして、第３充電電流・電圧センサー２４６の検知結果を監視していた充放電制御回路３００が、時刻Ｔ４（図３参照）において、第３バッテリー２２３の電圧が一定値以下に下がったと判定すると、第３バッテリー２２３からの放電を中止して、第１バッテリー２２１、第２バッテリー２２２の順番で放電に切り替える。
【００６７】
尚、第３バッテリー２２３への充電はこれまで通りに継続する。
【００６８】
この場合、充放電制御回路３００は、図３に示す様に、時刻Ｔ４において、満充電に近づいている第１バッテリー２２１への充電を中止して（Ｉｂ１＝０）、放電に切り替えることで、負荷への電力供給を維持すると共に、第２バッテリー２２２については、電流Ｉｂ２＝０．８×Ｉｓｕｍ（Ａ）を割り当てて、充電を加速させる。
【００６９】
尚、充放電制御回路３００は、第３充電電流・電圧センサー２４６からの検知結果を利用して、第３バッテリー２２３への充電の継続により電圧が安定したと判定した場合、第１バッテリー２２１の放電を中止して充電を再開すると同時に、第３バッテリー２２３の放電を再開する。
【００７０】
これにより、第３バッテリー２２３の電圧が一定値以下に低下した場合でも、負荷に対して安定した電力を供給することが出来る。
【００７１】
また、第１バッテリー２２１への充電を中止すると共に、第２バッテリー２２２への充電に割り当てる電流を増加させることで、電力のロスを抑制出来る。
【００７２】
尚、上記実施の形態では、サブ太陽光発電パネル２１１が取り付けられている場合について説明したが、これに限らず例えば、メイン太陽光発電パネル２１０のみ取り付けられている構成でも良い。この場合は、第２ＭＰＰＴ回路３３０からの出力電流Ｉｓｐは実質上ゼロであり、合算電流Ｉｓｕｍ＝Ｉｍｐとなるが、図２、３等を用いて説明した内容と同様の効果を発揮する。
【００７３】
また、上記実施の形態では、太陽光発電用制御装置２３０に第２ＭＰＰＴ回路３３０が設けられている場合について説明したが、これに限らず例えば、太陽光発電用制御装置２３０に第２ＭＰＰＴ回路３３０が設けられておらず、第１ＭＰＰＴ回路３２０が設けられている構成でも良い。この場合は、充放電制御回路３００に入力される電流は、Ｉｍｐのみとなるが、Ｉｍｐを合算電流Ｉｓｕｍと読み替えれば、図２、３等を用いて説明した内容がそのまま適用出来て、同様の効果を発揮する。
【００７４】
また、上記実施の形態では、太陽光発電用制御装置２３０に第３バッテリー２２３を接続するための第３バッテリー接続端子３１１が設けられている場合について説明したが、これに限らず例えば、第３バッテリー接続端子３１１が設けられておらず、第１バッテリー接続端子３０９と第２バッテリー接続端子３１０が設けられている構成であっても良い。この場合、発電された電力は、逆流防止回路（図示省略）等を介して負荷に供給されると共に、第１バッテリー接続端子３０９、第２バッテリー接続端子３１０に接続された第１バッテリー２２１、第２バッテリー２２２にも供給されて、図２で説明したのと同様のやり方で双方のバッテリーに電流が割り当てられて、充電が行われる。夜間や昼間でも日射量等の減少により発電電力が、負荷の消費電力を下回った場合に、第１バッテリー２２１、又は第２バッテリー２２２からの放電により、負荷への電力供給を維持する構成となる。これにより、電力のロスを抑制出来て、太陽光発電パネルの最大出力を１００％使用出来る。
【００７５】
また、上記実施の形態では、合算電流の分配の比率を固定した場合について説明したが、これに限らず例えば、第１バッテリー２２１と第２バッテリー２２２の充電用に分配する電流量を、合算電流Ｉｓｕｍの７０〜８０％の間で適宜変化させ、第３バッテリー２２３に分配する電流量を、その変化に応じて、残りの３０〜２０％の間で変化させる構成であっても良い。
【００７６】
また、上記実施の形態では、本発明の複数の充電対象装置の一例として、第１バッテリー２２１と第２バッテリー２２２を接続し、本発明の蓄電装置の一例として、第３バッテリー２２３を接続した場合について説明したが、これに限らず例えば、複数の充電対象装置の他の例として、３つ以上のバッテリーが接続されても良いし、また、蓄電装置の例として、２つ以上のバッテリーが接続されても良い。
【００７７】
また、上記実施の形態では、本発明の電力制御部の一例として第１ＭＰＰＴ回路３２０を備え、本発明の第２電力制御部の一例として第２ＭＰＰＴ回路３３０を備えた構成について説明したが、これに限らず例えば、ＰＷＭ（Pulse Width Modulation）回路を用いた構成であっても良い。
【００７８】
また、上記実施の形態では、充放電制御回路３００が、充電中のバッテリーが満充電に近づいたかどうか判定するために、そのバッテリーの充電率が９０％を越えたことを判定基準とした場合について説明したが、これに限らず例えば、判定基準は固定ではなく可変としても良い。
【産業上の利用可能性】
【００７９】
本発明の太陽光発電用制御装置によれば、バッテリーに充電する際に、満充電に近づいても電力のロスを低減出来るという効果を発揮し、例えば、独立型太陽光発電システムの太陽光発電用制御装置として有用である。
【符号の説明】
【００８０】
２００  独立型太陽光発電システム
２１０  メイン太陽光発電パネル
２１１  サブ太陽光発電パネル
２２１  第１バッテリー
２２２  第２バッテリー
２２３  第３バッテリー
２３０  太陽光発電用制御装置
３２０  第１ＭＰＰＴ回路
３３０  第２ＭＰＰＴ回路
３４０  切替スイッチ
【図１】
2016077086.tif 000003
【図２】
2016077086.tif 000004
【図３】
2016077086.tif 000005
【図４】
2016077086.tif 000006
【図５】
2016077086.tif 000007